(57)【特許請求の範囲】
【請求項１】
間隔を隔てて平行に配置され内部が中空の１対の支柱部とその双方の支柱部の上端部間に設けられた横桟部とからなる部材の複数を、順次前記支柱部の太さを異ならせて形成し、前記支柱部の最も太い部材の前記双方の支柱部に、順次支柱部の細い部材を摺動可能に上方から嵌入させ、前記各部材の横桟部が順次当接した短縮状態となるように、且つ前記各部材の横桟部が適当に離れ支柱部が嵌合している伸長状態となるように形成し、最上部のものを除く部材の前記横桟部内に、前記伸長状態を保持する係止手段と、その係止手段に対応し前記横桟部から下方へ突出した操作部を有しその操作部を押し上げることにより前記係止を解除する係止解除手段とを設けてなる梯子において、前記最下部の部材の横桟部に上方へ向かって突設され前記短縮状態で上側の横桟部に当接し横桟部間に人手を余裕を持って挿入可能な間隙を形成するストッパーを設けたことを特徴とする梯子。
【請求項２】
請求項１に記載の梯子において、前記ストッパーが、その上側の横桟部の前記操作部に対向する位置に設けてあることを特徴とする梯子。
【請求項３】
請求項１に記載の梯子において、前記伸長状態から短縮状態になるとき前記支柱部内にある空気が徐々に排気されるように排気抵抗手段を設けたことを特徴とする梯子。
【請求項４】
請求項３に記載の梯子において、前記排気抵抗手段が、前記複数の部材の最下部に位置する部材の内孔下部を閉鎖し、別の部材の少なくとも一つにその支柱部の中空部を上下に区画するような隔壁を設けてその隔壁に通気部を設けたものであることを特徴とする梯子。
【請求項５】
請求項４に記載の梯子において、前記通気部が小孔であることを特徴とする梯子。
【請求項６】
請求項５に記載の梯子において、前記隔壁が弾性を有する板状材料で形成され、前記通気部が板状材料を貫通するように設けた切れ目によって形成されたものであることを特徴とする梯子。
【発明の詳細な説明】
【０００１】
【産業上の利用分野】
本発明は、梯子に関し、特に伸縮可能な梯子に関する。
【０００２】
【従来の技術】
従来の伸縮可能な梯子として、本願出願人が先に提案した、特願平５−１５７９１１号がある。その概略の構成は、図４〜図６に示すように、間隔を隔てて平行に配置され内部が中空の１対の支柱部４、４と、その双方の支柱部の上端部間に設けられた横桟部６とからなる部材の複数（梯子の段数に略相当する数）を、順次前記支柱部４、４の太さを異ならせて形成し、前記支柱部の最も太い部材２ａの前記双方の支柱部に、順次支柱部の細い部材２ｂ、２ｃ、２ｄ、・・・・、２ｍ、２ｎを摺動可能に上方から嵌入させ、前記各部材の横桟部６が順次上下に当接した短縮状態（図４の下半部に示す状態）となるように、且つ前記各部材の横桟部６が適当に離れ支柱部が嵌合している伸長状態（図４の上半部に示す状態）となるように形成してある。その各部材は１対の支柱部４、４と横桟部６とが一体となるように強固に結合形成されている。そして、図５、図６に示すように、最上部の部材２ｎを除く部材の前記横桟部６内に付勢手段１２により双方の支柱部４、４の中空部に突出するように設けた突出体１０と前記中空部に嵌入している支柱部４、４に設けてあり前記伸長状態で前記突出体１０が突出して係合する係合孔８とで構成し前記伸長状態を保持するする係止手段１１と、その係止手段１１に対応して前記横桟部６に下方へ突出して操作部３６を設けられ、その操作部３６を押し上げることにより前記突出体１１を後退させる係止解除手段１４を設けた構成である。
【０００３】
係止手段１１の突出体１０は、棒状体であり、胴部１６、頸部１８、端部２０からなり、横桟部６内の支持壁２２に穿設された貫通孔２４に胴部１８を摺動可能に支持され、胴部１６の先端２８を保護ラバーで形成してあり、その先端部が横桟部６の側壁２５に穿設された案内孔２６から支柱部４内に付勢手段１２により突出するようになっている。付勢手段１２は、支持壁２２と胴部１６に設けたばね受け用座金３０との間に圧縮状態で配置したコイルばね３１である。係止解除手段１４は、回転軸３２を中心に回動するレバーであり、一方の端部３４が突出体１０の頸部１８に係合しており、他方の端部が操作部３６であり、この操作部３６は突出体１０が突出して係合孔８に嵌入している状態で、図６に見られるように横桟部６の下縁よりも下方へ突出している。この操作部３６を横桟部６の下縁６ａ迄押し上げると、図５に見られるように、突出体１０が後退して係合孔８から抜け出すようになっている。なお、最下部の部材２ａは支柱部４、４を下方へ少し延長形成し、下端に滑り止めのゴム栓３７を施し、補強横桟３８を設けてある。
【０００４】
この梯子は、短縮状態では、図４の下半部に見られるように、各横桟部６、６、・・・・が上下に当接した状態である。また、伸長状態では、同図の上半部に見られるように横桟部６、６、・・・・が離れて梯子の各段を形成し、図６に見られるように係止手段１１の突出体１０が突出して係合孔８に係合し、係止解除手段１４の操作部３２が横桟部６の下方に突出した状態である。伸長状態から短縮状態とするには、部材２ａの横桟部６から下方へ突出している係止解除手段１４の操作部３６を押し上げると、部材２ｂの支柱部４、４の係止が解除されるから、部材２ｂが自身とその上方の部材の重量により下降し、部材２ｂの支柱部４、４が部材２ａの支柱部４、４内に深く嵌入して夫々の横桟部６、６が当接する状態になる。このとき部材２ｂの係止解除手段１４の操作部３６が部材２ａの横桟部６によって相対的に押し上げられるから、更にその上の部材２ｃの係止が解除され、部材２ｃが自身とその上の部材の重量により下降し、これによって部材２ｄの係止が解除される。このようにして順次下方のものから上方のものへ係止状態が解除され、自重によって短縮状態となる。
【０００５】
【発明が解決しようとする課題】
このように伸縮可能な梯子は、伸長状態において係止を解除するとき、最下部の部材２ａの横桟部６の上側に人の手が位置するような状態で、例えば、横桟部６と係止解除手段１４のレバーを同時に握るような状態で操作すると、下降してくる上側の部材の横桟部６によって挟まれて負傷する危険がある。本発明は、このような危険を回避できる梯子を提供することを目的とする。
【０００７】
【課題を解決するための手段】
本発明は、間隔を隔てて平行に配置され内部が中空の１対の支柱部とその双方の支柱部の上端部間に設けられた横桟部とからなる部材の複数を、順次前記支柱部の太さを異ならせて形成し、前記支柱部の最も太い部材の前記双方の支柱部に、順次支柱部の細い部材を摺動可能に上方から嵌入させ、前記各部材の横桟部が順次当接した短縮状態となるように、且つ前記各部材の横桟部が適当に離れ支柱部が嵌合している伸長状態となるように形成し、最上部のものを除く部材の前記横桟部内に、前記伸長状態を保持する係止手段と、その係止手段に対応し前記横桟部から下方へ突出した操作部を有しその操作部を押し上げることにより前記係止を解除する係止解除手段とを設けてなる梯子において、前記最下部の部材の横桟部に上方へ向かって突設され前記短縮状態で上側の横桟部に当接し横桟部間に人手を余裕を持って挿入可能な間隙を形成するストッパーを設けたことを特徴とするものである。前記ストッパーを、その上側の横桟部の前記操作部に対向する位置に設けることが望ましい。前記伸長状態から短縮状態になるとき前記支柱部内にある空気が徐々に排気されるように排気抵抗手段を設ることも望ましい。前記排気抵抗手段は、前記複数の部材の最下部に位置する部材の内孔下部を閉鎖し、別の部材の少なくとも一つにその支柱部の中空部を上下に区画するような隔壁を設けてその隔壁に通気部を設けたものとすることができる。さらに、前記通気部を小孔とすることもできる。前記隔壁を、弾性を有する板状材料で形成し、前記通気部が板状材料を貫通するように設けた切れ目によって形成することもできる。
【０００９】
【作用】
本発明は、最下部の一つ上の部材が下降して来たときにその横桟部がストッパーに当接して止まるから、手を挟まれない。
【００１０】
【実施例】
本発明の参考例を図１を用いて説明する。この参考例は、先に図４〜図６を用いて説明した従来の梯子に、排気抵抗手段４０を設けたものである。排気抵抗手段４０以外は、前記従来の梯子と同じであるから排気抵抗手段４０についてのみ説明し、同等部分は同一図面符号で示して説明を省略する。
【００１１】
排気抵抗手段４０は、図１（ａ）に示すように、下から２番目と３番目の部材２ｂ、２ｃの両側の支柱部４の下端に、図１（ｂ）に示すような、夫々通気部としての十字型の切れ目４１を形成されたゴム板製の隔壁４２を固定して設けたものである。切れ目４１は隔壁４２を上下に貫通している。なお、図１（ａ）における４３は合成樹脂製のリング状部材であり、通常内孔に対する摺動部として設けられているものと同じであり、支柱部４の内孔に順次嵌入する支柱部外周の各々の下端近くに環状溝を設けて設置してある。また、同図には見られないが、最上部の部材の支柱部４の上端は空気が自由に出入りできる開放状態であり、最下部の部材の支柱部４の下端は滑り止めゴム栓により空気が出入りできない閉鎖状態である。
【００１２】
このように構成された梯子は、使用時には従来と同様に伸長状態として用い、収納時に短縮状態とする。短縮状態とするとき最下部の部材２ａの操作部３６を押し上げると、下から２番目の部材２ｂが係止を解除されて部材２ｂと係止状態にあるその上の部材が共に下降する。下降により支柱部内の容積が減少するから内部空気が上方へ押し出される。しかし、その下降速度は、自然落下するような急激なものではなく、支柱部４内の空気の排出が通気部である切れ目４１、４１を介して上方へ徐々に行われるから、遅いものである。従って、下降してくる横桟部に手を挟まれることは回避できる。２番目の部材２ａの横桟部６が最下部の横桟部６に当接すると、下から３番目の部材２ｃの係止が解除される。これによって部材２ｃの通気部を介して排気が行われ、部材２ｃとその上の部材が低速で下降してくる。そして、部材２ｃの横桟部６が部材２ｂの横桟部６に当接すると、部材２ｃの係止が解除され、以後は排気抵抗手段がないから、部材が急速に順次下降してくる。
【００１３】
図３（ｃ）は、他の参考例であり、排気抵抗手段４０が、小孔４４を穿設された金属板製の隔壁４５であり、前記隔壁４２に代えて設ける。小孔４３は空気の流出量を制限するから切れ目４１と作用が略同じであり、短縮状態にするときの動作も同じであるから、その説明を省略する。
【００１４】
本発明の実施例を図２、図３を用いて説明する。この実施例は先に図４〜図６を用いて説明した従来の梯子に、ストッパー５０を設けたものである。ストッパー５０以外は、前記従来の梯子と同じであるからストッパー５０についてのみ説明し、同等部分は同一図面符号で示して説明を省略する。
ストッパー５０は、最下部の部材２ａと下から２番目の部材２ｂの夫々の横桟部６に上方へ向かって突設され、その突出高さは前記短縮状態で上側の横桟部６の下縁６ａに当接し横桟部間に人の手Ｈを余裕を持って挿入可能な間隙ｅを形成する程度の高さである。ストッパー５０の突出位置は横桟部６の両端部付近であり、操作部３６に下側から対向する位置である。
【００１５】
このように構成された梯子は、使用時には従来と同様に伸長状態として用い、収納時に短縮状態とする。短縮状態とするとき最下部の部材２ａの操作部３６を押し上げると、下から２番目の部材２ｂが係止を解除されて部材２ｂとその上側の部材２ｃ、・・・・２ｎが下降する。その下降速度は、自然落下に近い速度であるが、部材２ｂの下縁６ａがストッパー５０の突出端に当接して止まる。従って間隙ｅが形成されるから、最下部の部材２ａの横桟６の上側に手が位置していたとしても挟まれて負傷するようなことはない。下から２番目の部材２ｂが下降してストッパー５０により停止するとき、部材２ｂの操作部３６がストッパー５０によって押し上げられるから、その上側の部材２ｃの係止が解除される。これによって部材２ｃが前記と同様に下降し、ストッパー５０で止まる。このとき、部材２ｄの係止が解除され、続いて部材２ｄとその上の部材が下降してくる。以後はストッパー５０がないから、部材の横桟部同志が当接した前記従来の梯子のような短縮状態となる。ストッパー５０を部材２ｂにも設けたのはより安全にするためである。
【００１６】
上記参考例において、本実施例に示したストッパーを併用する構成としてもよい。また、本実施例のストッパー５０の上端に弾力性物質、例えば、軟質合成樹脂、ゴム等からなる干渉材を設けてもよい。また、本実施例のストッパー５０は横桟部６と一体成形したものを示したが、場合によってはこれに代えてボルトを上方へ突出するように取り付けた構成であってもよい。
【００１７】
【発明の効果】
本発明は、最下部の一つ上の部材が下降して来たときにその横桟部がストッパーに当接して止まり、手を挟まれない。
【図面の簡単な説明】
【図１】（ａ）は本発明の参考例の主要部を示す縦断側面図、（ｂ）は切れ目を設けた隔壁の拡大斜視図、（ｃ）は他の参考例の小孔を設けた隔壁の拡大斜視図である。
【図２】本発明の１実施例の主要部を示す短縮状態となる途中の縦断正面部分拡大図である。
【図３】同実施例の部分省略正面図である。
【図４】従来の伸縮梯子の部分省略正面図である。
【図５】同従来の梯子の係止解除状態を示す主要部拡大縦断正面図である。
【図６】同従来の梯子の係止状態を示す主要部拡大縦断正面図である。
【符号の説明】
２ａ  部材（最下部）
２ｂ  部材（下から２番目）
２ｃ  部材（下から３番目）
２ｎ  部材（最上部）
４    支柱部
６    横桟部
８    係合孔
１０  突出体
１１  係止手段
１２  付勢手段
１４  係止解除手段（レバー）
３２  回転軸
３６  操作部
４０  排気抵抗手段
【図１】
0003542645.tif 000002
【図２】
0003542645.tif 000003
【図３】
0003542645.tif 000004
【図４】
0003542645.tif 000005
【図５】
0003542645.tif 000006
【図６】
0003542645.tif 000007